(57)【要約】【課題】  階層型のメニューに含まれる複数の所定の項目に対応する処理を、簡単な操作で実行させることができる電子装置を提供する。【解決手段】  数字キー３１を操作して所定の文字情報を入力し、続いて機能キー３２を操作して所定の指令情報を入力すると、制御部９は、第２メモリ７に記憶される所定の文字情報と所定の指令情報との組合せと、この組合せに対応する所定の項目とのテーブルに基づいて、所定の項目の実行を指示し、所定の項目に対応する処理を実行する。これによって階層構造のメニューを表示部３に表示させて、メニューを辿って、所定の項目の実行を指示するのではなく、直接所定の項目を指示することができ、簡単な操作で所定の項目に対応する処理を実行することができる。【選択図】      図１
2005316774.tif 000002
【特許請求の範囲】
【請求項１】
複数の項目から成るメニューを、複数階層から成る階層構造に従って表示手段に表示させ、表示手段に表示されるメニューに含まれる所定の項目が選択され、選択された所定の項目の実行が指示されたとき、指示された所定の項目に対応する処理を実行可能であり、かつ所定の指令情報を入力するための指令情報入力手段を有し、指令情報入力手段によって所定の指令情報が入力されたとき、所定の指令情報に対応する処理を実行可能である電子装置であって、
所定の文字情報を入力するための文字情報入力手段と、
所定の文字情報および所定の指令情報の組合せに対応させて、複数階層のうちの所定の階層のメニューに含まれる所定の項目のうちのいずれか１つに関連する対応情報を記憶する記憶手段と、
文字入力手段によって所定の文字情報が入力され、続いて指令情報入力手段によって所定の指令情報が入力されると、記憶手段に記憶される対応情報に関連する所定の項目の実行を指示する指示手段とを含むことを特徴とする電子装置。
【請求項２】
前記所定の項目に対応する処理は、所定のメニューを表示手段に表示させる処理を含むことを特徴とする請求項１記載の電子装置。
【請求項３】
通信回線を介して所定の通信先と通信する通信手段を有し、
前記記憶手段には、所定の通信先と通信するための通信先情報が記憶され、
前記所定の項目は、前記通信先情報に関連づけされ、
所定の通信先と通信するための通信先情報に関連づけされている所定の項目の実行が指示手段によって指示されると、通信手段が、記憶手段に記憶される通信先情報に基づいて、所定の通信先と通信することを特徴とする請求項１または２に記載の電子装置。
【請求項４】
前記記憶手段には、予め定める所定の文字情報と所定の指令情報との組合せに対応する所定の情報が記憶され、
記憶手段に記憶されている前記所定の情報の表示手段による表示を可能とする第１動作モード、および記憶手段に記憶されている前記所定の情報の表示手段による表示を禁止する第２動作モードのいずれかを設定する動作モード設定手段と、
動作モード設定手段によって設定された動作モードで表示手段を制御する制御手段を有し、
動作モード設定手段によって第２動作モードが設定され、第２動作モードで表示手段を制御しているときに、文字入力手段および指令情報入力手段によって、所定の情報に対応する予め定める所定の文字情報と所定の指令情報とが入力された場合、制御手段は、入力された予め定める所定の文字情報と所定の指令情報との組合せに対応する所定の情報を表示させるように表示手段を制御することを特徴とする請求項１〜３のいずれか１つに記載の電子装置。
【請求項５】
前記複数の項目のうち、前記所定の文字情報および所定の指令情報の組合せに対応する所定の項目に関連する情報を、記憶手段に記憶させる対応設定手段を有することを特徴とする請求項１〜４のいずれか１つに記載の電子装置。
【発明の詳細な説明】
【技術分野】
【０００１】
本発明は、メニューに含まれる項目を選択して、この項目の実行が指示されたときに、項目に対応する処理を実行可能な電子装置に関する。
【背景技術】
【０００２】
たとえば携帯電話装置などの電子装置は、携帯して持ち歩くことを目的として構成され、装置を小形化する必要がある。したがってこのような電子装置では、文字情報および指令情報などを入力するための操作キーの数が限定されて設けられている。操作キーの数を増加させることができない電子装置では、多機能化を実現するために、表示部に、複数の項目から成るメニューを表示させて、操作キーを操作することによってメニューに含まれる項目を選択し、選択した項目を実行することによって、各項目に対応する処理を実行させている。このように、メニューを辿って処理を実行させる電子装置では、多機能化が進むに連れて、メニューの階層数およびメニューに含まれる項目数が増加する。階層化されたメニューを辿って、項目を選択して実行することは、メニューに含まれる項目が増加すればするほど、またメニューの階層数が増加すればするほど、ユーザにとって操作が煩雑となってしまう。
所定の処理を実行させるための操作を簡略化する第１〜第４の従来の技術がある。
【０００３】
第１の従来の技術では、携帯端末の機能設定装置において、キーの押し下げに対応する機能を第１登録部に記憶しておき、またキーを長押しされた場合に対応する処理を第２登録部に登録しておき、１つのキーを操作することによって、第１登録部または第２登録部のいずれかに記憶される所定の処理を実行させることができる（たとえば特許文献１参照）。
【０００４】
また第２の従来の技術では、携帯通信端末において、所定の時間よりも操作キーを短く押すか、長く押すかによって、操作キーに対応して実行する処理を異ならせている（たとえば特許文献２参照）。
【０００５】
また第３の従来の技術では、文章処理装置において、１つの操作キーを押下してから、次の操作キーを押下するまでの時間に応じて、特定の処理を実行させている（たとえば特許文献３参照）。
【０００６】
また第４の従来の技術では、機能設定装置において、操作キーを長押しすることによって、予め定める機能またはユーザが設定した処理を実行させている（たとえば特許文献４参照）。
【０００７】
【特許文献１】特開２００２−１８２８３３
【特許文献２】特開平５−４６３０５
【特許文献３】特開２００２−２５９０３２
【特許文献４】特開２００３−１７４４９７
【発明の開示】
【発明が解決しようとする課題】
【０００８】
前述したような電子装置では、多機能化するに連れて、ユーザにとって操作が煩雑になってしまう。前述した第１〜第４の従来の技術では、１つの操作キーを操作することによって、２つまたは３つの処理を選択的に実行させることができるが、操作キーの数の２倍または３倍の数の処理しか実行させることができない。したがって操作キーの数が限られている場合であっても、複数の所定の処理のうちのいずれかを、簡単な操作で実行させることができる電子装置が望まれている。
【０００９】
本発明の目的は、階層型のメニューに含まれる複数の所定の項目に対応する処理を、簡単な操作で実行させることができる電子装置を提供することである。
【課題を解決するための手段】
【００１０】
本発明は、複数の項目から成るメニューを、複数階層から成る階層構造に従って表示手段に表示させ、表示手段に表示されるメニューに含まれる所定の項目が選択され、選択された所定の項目の実行が指示されたとき、指示された所定の項目に対応する処理を実行可能であり、かつ所定の指令情報を入力するための指令情報入力手段を有し、指令情報入力手段によって所定の指令情報が入力されたとき、所定の指令情報に対応する処理を実行可能である電子装置であって、
所定の文字情報を入力するための文字情報入力手段と、
所定の文字情報および所定の指令情報の組合せに対応させて、複数階層のうちの所定の階層のメニューに含まれる所定の項目のうちのいずれか１つに関連する対応情報を記憶する記憶手段と、
文字入力手段によって所定の文字情報が入力され、続いて指令情報入力手段によって所定の指令情報が入力されると、記憶手段に記憶される対応情報に関連する所定の項目の実行を指示する指示手段とを含むことを特徴とする電子装置である。
【００１１】
本発明に従えば、文字情報入力手段によって所定の文字情報を入力し、続いて指令情報入力手段によって所定の指令情報を入力すると、指示手段が、記憶手段に記憶される所定の文字情報と所定の指令情報との組合せに対応する対応情報に基づいて、所定の項目の実行を指示する。これによって階層構造のメニューを表示手段に表示させて、メニューを辿って、所定の項目の実行を指示するのではなく、直接所定の項目を指示することができ、所定の項目に対応する処理を実行することができる。文字情報は、数字情報を含む。文字情報は、たとえば１または複数の数字によって表されてもよい。
【００１２】
また本発明は、前記所定の項目に対応する処理は、所定のメニューを表示手段に表示させる処理を含むことを特徴とする。
【００１３】
本発明に従えば、所定の文字情報と所定の指令情報とを入力することによって、所定のメニューを表示手段に表示させることができる。
【００１４】
また本発明は、通信回線を介して所定の通信先と通信する通信手段を有し、
前記記憶手段には、所定の通信先と通信するための通信先情報が記憶され、
前記所定の項目は、前記通信先情報に関連づけされ、
指示手段によって所定の通信先と通信するための通信先情報に関連づけされている所定の項目の実行が指示されると、通信手段が、記憶手段に記憶される通信先情報に基づいて、所定の通信先と通信することを特徴とする。
【００１５】
本発明に従えば、所定の文字情報と所定の指令情報との組合せに対応して、通信先情報に関連づけされる対応情報が記憶手段に記憶されている。所定の文字情報と所定の指令情報とを入力すると、指示手段が、通信先情報に関連する所定の項目の実行を指示することによって、通信手段に通信回線を介して所定の通信先と通信させることができる。通信先情報は、インターネットにおけるアドレス情報を含む。
【００１６】
また本発明は、前記記憶手段には、予め定める所定の文字情報と所定の指令情報との組合せに対応する所定の情報が記憶され、
記憶手段に記憶されている前記所定の情報の表示手段による表示を可能とする第１動作モード、および記憶手段に記憶されている前記所定の情報の表示手段による表示を禁止する第２動作モードのいずれかを設定する動作モード設定手段と、
動作モード設定手段によって設定された動作モードで表示手段を制御する制御手段を有し、
動作モード設定手段によって第２動作モードが設定され、第２動作モードで表示手段を制御しているときに、文字入力手段および指令情報入力手段によって、所定の情報に対応する予め定める所定の文字情報と所定の指令情報とが入力された場合、制御手段は、入力された予め定める所定の文字情報と所定の指令情報との組合せに対応する所定の情報を表示させるように表示手段を制御することを特徴とする。
【００１７】
本発明に従えば、制御手段は、動作モード設定手段によって設定された動作モードに基づいて、表示手段を制御する。動作モード設定手段によって第１動作モードが設定されると、制御手段は、記憶手段に記憶されている所定の情報を表示手段に表示させることができる。また動作モード設定手段によって第２動作モードが設定されると、制御手段は、記憶手段に記憶されている所定の情報の表示手段による表示を禁止することができる。
【００１８】
本発明では、文字情報入力手段および指令情報入力手段によって、所定の文字情報と所定の指令情報とが入力されると、記憶手段に記憶されている所定の情報の表示手段による表示を禁止する第２動作モードが動作モード設定手段によって設定されている場合であっても、制御手段は、前記所定の文字情報と所定の指令情報との組合せに対応する所定の情報を、表示手段に表示させることができる。このように所定の文字情報と所定の指令情報とを入力するだけで、制御手段に所定の情報を表示させるように表示手段を制御させることができるので、所定の情報を表示手段によって表示させるときに、動作モード設定手段によって動作モードの設定を変更する必要がない。動作モードを切換えて所定の情報を表示手段に表示させる場合には、所定の情報を表示させるために第１動作モードに設定する必要があるため、利用者が、再び第２動作モードに設定することを忘れてしまうおそれがあるが、本発明では第２動作モードが設定されたままであっても、制御手段は所定の情報を表示手段に表示させることができるので、所定の文字情報と所定の指令情報とを入力することによって、所定の情報を表示手段に表示させたとしても、この所定の情報の表示手段への表示を禁止するために再び第２動作モードに設定し忘れるおそれがない。またたとえば動作モード設定手段において所定の暗証番号情報を入力することによって動作モードの設定を変更する場合、前記所定の文字情報として、たとえば前記暗証番号情報と同じ桁数の数値を設定することによって、秘匿性は低下しない。
【００１９】
また本発明は、前記複数の項目のうち、前記所定の文字情報および所定の指令情報の組合せに対応する所定の項目に関連する情報を、記憶手段に記憶させる対応設定手段を有することを特徴とする。
【００２０】
本発明に従えば、対応設定手段によって、所定の文字情報および所定の指令情報の組合せに対応する所定の項目に関する情報を、記憶手段に記憶させることができる。
【発明の効果】
【００２１】
本発明によれば、所定の文字情報と所定の指令情報とを入力することによって、階層構造のメニューのうちのいずれかの項目を、階層を辿って表示手段に表示させて、選択し、実行するという操作をしなくても、所定の項目に対応する処理を実行することができる。したがって、所定の処理を実行するための操作が容易となる。所定の文字情報が短ければ、少ないキー操作などによって、所定の項目に対応する処理を実行することができる。
【００２２】
また本発明によれば、表示手段にメニューを表示させて、このメニューを辿って、複数階層から成る階層構造のメニューのうち、所望のメニューを表示させなくても、所定の文字情報と所定の指令情報とを入力するだけで、所定のメニューを表示手段に容易に表示させることができ、操作が簡略化される。
【００２３】
また本発明によれば、通信先情報を入力しなくても、所定の文字情報と所定の指令情報とを入力するだけで、通信手段に予め定める通信先と、通信させることができるので、所定の通信先と通信するための操作が容易となる。
【００２４】
また本発明によれば、所定の文字情報および所定の指令情報を入力するだけで、動作モード設定手段による動作モードの設定を変更することなく、所定の情報を表示手段に表示させることができ、電子装置の動作モードを変更する操作が不要となるので操作が容易となる。また動作モードを変更せずに、所定の情報を表示手段に表示させるので、再び所定の情報を表示手段への表示を禁止するために、動作モード設定手段によって第１動作モードを変更する必要がないので、所定の情報の表示手段への表示を禁止する第２動作モードに設定を変更し忘れるおそれが無くなる。
【００２５】
また本発明によれば、対応設定手段によって、所定の文字情報および所定の指令情報の組合せに対応する所定の項目に関する情報を、記憶手段に記憶させることによって、所定の項目に対応する処理を、ユーザが覚えやすい文字情報に対応させて記憶させることができ、これによって所望の処理を実行させるための操作が容易となる。また利用頻度の高い項目に対応する処理に、少ない文字数によって表される所定の文字情報を対応させることができ、これによって、操作の手間を少なくすることができる。
【発明を実施するための最良の形態】
【００２６】
図１は、本発明の実施の一形態の電子装置１の構成を示すブロック図である。電子装置１は、情報処理装置であって、本実施の形態では、電子装置１を、携帯型電話装置に適用して示す。電子装置１は、キー入力部２と、表示部３と、撮像部４と、プログラム用メモリ５と、第１メモリ６と、第２メモリ７と、表示用メモリ８と、制御部９と、表示ドライバ部１０と、バックライト部１１と、開閉検出部１２と、アンテナ部１３と、無線部１４と、通信制御部１５と、音声入力部１６と、音声出力部１７と、キー照明部１８と、計時部１９とを含む。
【００２７】
キー入力部２は、所定の文字情報を入力するための複数の数字キーを含む数字キー群２１と、電子装置１への所定の指令情報を入力するための複数の機能キーを含む機能キー群２２とを含む。数字キー群２１は、数字「０」〜数字「９」までの数字情報を入力するための数字キー３１を含む。機能キー群２２は、表示部３にメニューを表示させるためのメニューキー２３と、表示部３に表示されるカーソルを移動させるための十字キー２４と、カメラキー２５と、電話帳キー２６と、メールキー２７と、インターネット接続キー２８とを含む。本実施の形態では、数字キーによって、数字情報が入力されるが、数字キーはこれに限らず、所定の文字、たとえばアルファベットおよび漢字など文字情報を入力することができるものであればよい。キー入力部２には、数字キー群２１および機能キー群２２とともに、所定の情報を入力する指令キーが設けられる。指令キーには、たとえば、電話を掛けるための電話キー、入力した情報を消去するためのクリアキーなどが含まれる。キー入力部２のキーをまとめて、操作キーと記載する場合がある。操作者が、キー入力部２の各操作キーを操作することによって、制御部９に各操作キーに対応した指令信号が与えられる。
【００２８】
表示部３は、少なくとも前記キー入力部２によって入力される所定の情報に基づいて、画像情報および文字情報を含む表示内容を表示する。表示部３は、たとえばカラー表示可能な半透過半反射型液晶表示素子を含んで実現される。本実施の形態では表示部３は、カラー表示可能な半透過半反射型液晶表示素子によって実現されるが、必ずしもこれに限定されるものではない。たとえば表示部３は、カラー表示または白黒表示可能な透過型液晶表示素子および反射型液晶表示素子のいずれか、エレクトロルミネッセンス（Electro
Luminescent；略称ＥＬ）素子、および白黒表示可能な半透過半反射型液晶表示素子のうちのいずれか１つによって実現してもよい。
【００２９】
撮像部４は、被写体を撮像し、入射する光を電気的な信号に変換し、画像情報を生成する。撮像部４は、カメラ部および画像処理部を含む。画像情報は、画像データによって表される。カメラ部は、撮像レンズと、電荷結合素子（Charge Coupled Device；略称ＣＣＤ）イメージセンサおよび相補型モス（Complementary Metal Oxide Semiconductor；略称ＣＭＯＳ）イメージセンサなどの撮像素子と、赤色（Ｒ），緑色（Ｇ）および青色（Ｂ）の３色のカラーフィルタと、マイクロレンズアレイとを含む。カメラ部は、所定の被写体で反射されて撮像レンズに入射した光を、カラーフィルタを通してＲ，ＧおよびＢの３色光にし、Ｒ，ＧおよびＢの３色光をそれぞれ前記撮像素子によって電気信号に変換する。またカメラ部は、制御部１１から与えられる制御信号に基づいて、前記撮像素子による前記３色光を電気信号に変換する。
【００３０】
画像処理部は、増幅部、アナログ／デジタル（Analog／Digital；略称Ａ／Ｄ）変換部および信号処理部を含む。増幅部は、カメラ部から与えられるＲ，ＧおよびＢの３色光のそれぞれに対応した電気信号を増幅し、Ａ／Ｄ変換部に与える。Ａ／Ｄ変換部は、増幅部で増幅されたＲ，ＧおよびＢに対応したアナログの電気信号をデジタルの電気信号に変換し、画像情報を表す画像データを生成して信号処理部に与える。信号処理部は、Ａ／Ｄ変換部から与えられる画像データに対して、画素の補間処理などの処理を行う。また画像処理部は、制御部９から与えられる制御信号に基づいて、信号処理を施した画像データを表示用メモリ８に与える。
【００３１】
プログラム用メモリ５は、たとえばリードオンリメモリ（Read Only Memory：略称ＲＯＭ）などの不揮発性記録媒体であって、制御プログラムを記憶する。この制御プログラムに基づいて制御部９が、プログラム用メモリ５、第１メモリ６、第２メモリ７、表示用メモリ８、表示ドライバ部１０、バックライト部１１、開閉検出部１２、通信制御部１５、キー入力部２、キー照明部１８および撮像部４などの各部を制御する。制御プログラムは、たとえば、電子メールの作成および電子メールを送受信するためのプログラム、インターネットに接続するためのプログラム、撮像部４に撮像させるためのプログラム、撮像部４によって生成される画像情報を、第２メモリ７に記憶させるためのプログラム、表示部３に階層化されたメニューを表示させるためのプログラムなど、各種プログラムを含む。また制御プログラムは、所定の項目に対応する処理を制御部９が実行するためのプログラムを含む。
【００３２】
第１メモリ６は、作業用メモリであり、制御部９からの制御信号に基づいて、キー入力部２によって入力された文字情報および指令情報、ならびに撮像部４によって生成された画像情報などを一時的に記憶する。第１メモリ６は、たとえばランダムアクセスメモリ（
Random Access Memory：略称ＲＡＭ）などの揮発性記憶媒体である。また第１メモリ６は、制御部９による処理の結果などを一時的に記憶する。
【００３３】
第２メモリ７は、キー入力部２によって入力された情報、たとえばカメラキー２５が操作されることによって撮像部４によって生成された画像情報を記憶する指令が入力された場合に、この指令に応答した制御部９によって与えられる制御信号に基づいて、撮像部４によって生成される画像情報を保存する。また第２メモリ７には、通信制御部１５を介して受信した画像情報および文字情報などの情報が記憶される。第２メモリ７は、制御部９からの制御信号に基づいて、情報を記憶し、また記憶されている情報を消去する。画像情報は、静止画像情報および動画像情報を含む。
【００３４】
また第２メモリ７には、機能キー３２に関する情報と、この機能キー３２に関する情報に対応する処理に関する情報とが記憶される。また第２メモリ７には、所定の文字情報と、所定の指令情報との組合せに対応する所定の項目に関する対応情報が記憶される。対応情報に関しては、後述する。所定の項目は、予め定める処理に対応する。予め定める処理を実行することによって、電子装置１において所定の機能が実現される。予め定める処理には、その１つ１つにユニークな識別情報が割り振られている。予め定める処理は、制御プログラムによってその手順が示される。
【００３５】
前記第２メモリ７は、たとえばフラッシュメモリ、ＥＰＲＯＭ（Erasable
Programmable Read Only Memory）およびＥＥＰＲＯＭ（Electrically EPROM）などの不揮発性記録媒体によって実現される。
【００３６】
また第２メモリ７には、所定の情報が記憶され、この所定の情報は、静止画像情報、動画像情報、電話番号情報を含む電話帳情報、および予め定める通知先を表す通知先情報が含まれる。電話帳データは、電話番号に関する電話番号情報、電子メールのアドレスに関するメールアドレス情報、およびこれらの電話番号情報およびメールアドレス情報に対応する識別情報、たとえば氏名の情報などを含む。
【００３７】
表示用メモリ８は、いわゆるＶＲＡＭ（Video Random Access Memory）によって実現され、表示部３に表示させる情報を記憶する。たとえば制御部９からの制御信号に基づいて、表示用メモリ８は、撮像部４から予め定める間隔をあけて連続的に与えられる画像情報を一時的に記憶する。表示用メモリ８には、撮像部４から、たとえば１秒間に１０フレーム分の画像情報が与えられ、制御部９は、表示用メモリ８に画像情報を更新して記憶させる。
【００３８】
制御部９は、中央演算処理装置（Central Processing Unit；略称ＣＰＵ）を含む。制御部９は、プログラム用メモリ５に記憶される制御プログラムに基づいて、電子装置１を構成する前述した各部を制御する。制御部９は、キー入力部２によって入力される情報、および後述する開閉検出部１２から与えられる検出情報に応答して電子装置１を構成する各部に制御信号を与えて、その動作を制御する。前述したプログラム用メモリ５に記憶される制御プログラムには、無線部１４によって予め定める通知先に発呼するためのプログラム、無線部１４によって電子メールを送受信するためのプログラムが含まれ、制御部９は、後述する通信制御部１５を制御して、予め定める通知先に発呼させたり、電子メールを所定の通知先に送信させたり、また電子メールを受信させたりすることができる。
【００３９】
機能キー３２のうち、カメラキー２５に対応する指令信号のみが、制御部９に与えられると、制御部９は、撮像部４および表示用メモリ８、表示ドライバ部１０、およびバックライト部１１を制御して、撮像部４によって生成される画像情報を表示部３に表示させる。また機能キー３２のうち、電子メールキー２７に対応する指令信号のみが、制御部９に与えられると、制御部９は、通信制御部１５を制御して、電子メールの受信する処理を行う。また機能キー３２のうち、電話帳キー２６に対応する指令信号のみが、制御部９に与えられると、制御部９は、第２メモリ７および表示用メモリ８、表示ドライバ部１０を制御して、表示部３に電話帳情報を表示させる。また機能キー３２のうち、インターネット接続キー２８に対応する指令信号のみが、制御部９に与えられると、制御部は、通信制御部１５を制御することによって、公衆回線網などの通信回線を介して、インターネットに接続し、所定の通信先と通信することができる。このように制御部９は、機能キー３２によって指令情報が入力されると、機能キー３２による指令情報に対応した処理を実行する。
【００４０】
表示ドライバ部１０は、制御部９からの制御信号、および表示用メモリ８に記憶される情報に基づいて、表示部３の各画素電極に対して駆動電圧を印加する。これによって表示部３に、所定の表示内容が表示される。表示部３は、表示ドライバ部１０によって駆動され、表示用メモリ８に記憶される情報を画像として表示する。
【００４１】
バックライト部１１は、表示面側から表示部３に臨んで、表示部３の背後、言い換えると表示部３に表示される表示内容を目視可能な側から表示部３を見て、表示部３の背後に設けられ、制御部９からの制御信号に基づいて、表示部３に光を照射する。バックライト部１１は、発光ダイオードなどの発光源と光学フィルタなどで構成した導光板とを含んで構成され、発光源が表示部の周縁部に設けられ、導光板によって表示部３の全表示領域に光を導く、いわゆるサイドライトタイプのバックライトによって実現される。バックライト部１１には制御部９から制御信号が与えられ、発光素子の点灯／消灯、および輝度調整などが行なわれる。バックライト部１１を設けることによって、電子装置１の周囲が暗い場合でも、表示部３に表示される表示内容を見やすくすることができ、視認性が向上する。バックライト部１１の各発光素子は、操作者によってこれらの発光素子を消灯するための情報がキー入力部２によって入力されるまで点灯する構成とする。バックライト部１１の発光素子は、点灯してから予め定める時間が経過すると、制御部９によって消灯される構成としてもよい。
【００４２】
開閉検出部１２は、後述する第１および第２ケーシング３３，３４の折り畳み状態および展開状態を制御部９とともに検出する。この開閉検出部は、たとえば第２ケーシング３４に設けられる突起部、第１ケーシング３３に設けられる孔部、状態検出スイッチを含んで構成される。制御部９は、前記孔部に挿入可能な突起部の位置、換言すれば状態検出スイッチのスイッチング状態に基づいて、たとえば個別接点間に流れる電流を検出可能に構成される。制御部９は、個別接点間に流れる電流を検出することによって、電流が流れれば第１および第２ケーシング３３，３４が折り畳み状態であると判断する。第１および第２ケーシング３３，３４が展開状態である場合には、個別接点間に電流を流すことができない。したがって制御部１１は、第１および第２ケーシング３３，３４が折り畳み状態でないとつまり展開状態であると判断する。このように携帯型通信装置１においては、制御部９が、状態検出スイッチのスイッチング状態に基づいて、第１および第２ケーシング３３，３４が展開状態であるのか折り畳み状態であるのかを簡単な構成で容易に検出することができる。
【００４３】
アンテナ部１３は、無線電波を介して基地局と無線通信を行うときに、音声情報、文字情報および画像情報などの各種情報を電波として放射し、基地局からの通信情報を取得する。
【００４４】
無線部１４は、基地局からアンテナ部１３を介して取得した文字情報、画像情報および音声情報などの通信情報を復調し、また通信制御部１５から送られてくる文字情報、画像情報および音声情報などの通信情報を変調して増幅し、アンテナ部１３を介して基地局に送信する。
【００４５】
通信制御部１５は、無線部１４が復調した文字情報、画像情報および音声情報などの受信データを所定の通信プロトコルに基づいて制御部９に送る。通信制御部１５は、音声入力部１６から与えられる音声情報を、無線部１４に与える。無線部１４、通信制御部１５を介して受信した相手先からの文字情報および画像情報などの受信データは、第２メモリ７に保存される。
【００４６】
また通信制御部１５は、第２メモリ７に保存される文字情報、画像情報などの送信データ、および後述する音声入力部１６から与えられる音声情報を、無線部１４に送る。前述した制御部９は、キー入力部２の操作キーによって入力される電話番号情報を、通信制御部１５に与え、通信制御部１５は、無線部１４を制御して公衆回線網に接続して、電話番号情報に対応する他の通信装置に対して発呼することができる。また通信制御部１５は、無線部１４からから与えられる音声情報を、音声出力部１７に与えることができる。また通信制御部１５は、音声出力部１７から与えられる音声情報を、無線部１４に与える。
【００４７】
音声入力部１６は、たとえばマイクロフォンによって実現され、音声情報を入力する。音声出力部１７は、たとえばスピーカによって実現され、音声情報を出力する。
【００４８】
キー照明部１８は、たとえば発光ダイオード（Light Emitting Diode：略称ＬＥＤ）を含む。前述したキー入力部２の各操作キーは、透光性の操作片を含み、発光ダイオードは、操作片の背後に設けられる。キー照明部１８は、制御部９からの制御指令に基づいて、発光する。これによって、キー入力部２の操作片から光が漏れて、各キーの位置が分かりやすくなる。
【００４９】
計時部１９は、たとえばリアルタイムクロックによって実現され、時刻情報を制御部９に与える。
【００５０】
本実施の形態において、指令情報入力手段は、機能キー３２、制御部９およびプログラム用メモリ５を含む。また文字情報入力手段は、数字キー３１、制御部９およびプログラム用メモリ５を含む。記憶手段は、第１メモリ６および第２メモリを含む。表示手段は、表示部３、表示ドライバ部１０、表示用メモリ８を含む。対応設定手段は、キー入力部２、制御部９、第２メモリ７を含む。通信手段は、アンテナ部１３、無線部１４および通信制御部１５を含む。また指示手段は、プログラム用メモリ５および制御部９を含む。
【００５１】
図２は、電子装置の外観を示す正面図である。図２は、展開状態の電子装置１を示す。電子装置１は、第１および第２ケーシング３３，３４とヒンジ部３５とを有する。これら第１および第２ケーシング３３，３４は、略直方体形状を有し、一表面部３３ａ、３４ａを相互に対向させた折り畳み状態と、図２に示すような展開状態とにわたって、ヒンジ部３５によって相互に角変位自在に連結される。すなわち第１および第２ケーシング３３，３４は、前記折り畳み状態から、ヒンジ部３５と第１ケーシング３３の遊端部３６とを含む仮想一平面と、ヒンジ部３５と第２ケーシング３４の遊端部３７とを含む仮想一平面とのなす角度が、たとえば約１８０°となる位置まで、ヒンジ部３５を中心として相互に角変位自在に構成されている。
【００５２】
電子装置１は、本実施の形態では、折り畳み型の携帯電話装置に適用しているが、電子装置１は、折り畳み型の携帯電話装置に必ずしも限定されるものではない。また第１ケーシング３３を第２ケーシング３４に対して相対的にかつ略平行にスライド変位させるスライド式、第１ケーシング３３をその厚み方向に平行な軸線方向まわりに第２ケーシング３４に対して回転変位させる回転式、これら折り畳み型，スライド式，回転式の構造を選択的に組み合わせた種々な携帯電話装置に本発明は適用可能である。
【００５３】
第１ケーシング３３には、前記キー入力部２が設けられる。キー入力部２の各操作キーは、第１および第２ケーシング３３，３４の一表面部３３ａ，３４ａを相互に対向させた折り畳み状態で、第１ケーシング３３の第２ケーシング３４に対向する領域に設けられる。第２ケーシング３４には、表示部３が設けられる。表示部３は、第１および第２ケーシング３３，３４の一表面部３３ａ，３４ａを相互に対向させた折り畳み状態で、第２ケーシング３４の第１ケーシング３３に対向する領域に、その表示面が設けられる。
【００５４】
表示部３およびキー入力部２を、折り畳み状態で第１および第２ケーシング３３，３４の相互に対向する領域にそれぞれ設けることによって、第１および第２ケーシング３３，３４を展開状態としたとき、操作者は表示部３を見つつキー入力部２によって情報を入力することができる。本実施の形態において展開状態とは、次のような状態である。すなわち第１および第２ケーシング３３，３４を相互に対向させた折り畳み状態で相互に対向する領域が、外部に露出する状態であって、操作者が、表示部３を目視することができるとともに、キー入力部２を操作することができる状態である。
【００５５】
前述した十字キー２４は、十字に配置される第１〜第４キーを含む。第１〜第４キーを順番に、上キー４１、下キー４２、右キー４３および左キー４４と記載する。第１〜第４キーの中央に、メニューキー２３が配置される。展開状態において、第１ケーシング３３を上方、第２ケーシング３４を下方に配置して、表示部３側から臨んだときに上下左右となる方向を、上下左右として説明する。
【００５６】
電子装置１では、制御部９が、複数の項目から成るメニューを、複数階層から成る階層構造に従って表示部３に表示させて、表示されるメニューを辿って、メニューに含まれる所定の項目を実行させることができる。
【００５７】
図３は、階層型のメニューを辿って所定のメニューに含まれる所定の項目に対応する処理を実行させるときの操作を説明する図である。ここでは、複数階層からなるメニューのうち、上から２番目の階層のメニューに含まれる所定の項目を選択する場合について説明する。
【００５８】
まず待受け状態において、メニューキー２３を操作する。本実施の形態において、操作キーの操作とは、操作キーの各操作片を押下することを意味する。待受け状態において制御部９は、表示部３に待受け画面を表示させている。電源を投入すると制御部９は、待受け状態となり、表示部３に待受け画面を表示させる。待受け状態で、メニューキー２３が操作されると、制御部９は、少なくとも表示部３に複数階層から成るメニューのうちの、最上段の階層に位置するメニューを表示させる。以後最上段の階層のメニューを第１メニューと記載する。
【００５９】
第１メニューは、第１〜第４項目である、「設定」「ライブラリ」「アクション」「ツール」を含む。制御部９は、第１〜第４項目を、表示部３の画面に向かって左右方向に順番に並んで表示させる。
【００６０】
本実施の形態では、制御部９は、第１メニューの項目のうち、選択されている項目の下層メニューも表示部３に表示される。制御部９は、第１メニューを表示部３の表示領域の上部寄りに表示させ、第１メニューのうち選択されている項目の下層メニューを表示領域の下部寄りに表示させる。
【００６１】
制御部９は、第１メニューの項目のうち、選択されている項目は、他の項目よりも拡大されて表示させ、かつ他の項目の背景とは異なる色の背景によって表示される。これによって、どの項目が選択されているのかを利用者は容易に認識することができる。また、制御部９は、第１メニューの項目のうち、選択されている項目の下層メニューで、選択されている項目には、枠によって囲んで表示させる。
【００６２】
項目の選択は、十字キー２４によって行われ、十字キーの上下左右は、表示画面の上下左右に対応する。したがって、上キー４１に対応する制御指令を受取ると、制御部９は、カーソルを表示画面において上、すなわち図３の上に移動させて表示部３に表示させる。同じく、下キー４２、右キー４３、左キー４４を操作することによって、カーソルを表示画面の上下左右に移動させて、表示画面に表示されるメニューに含まれる項目を選択することができる。
【００６３】
図３（２）は、第１メニューのうち項目「設定」が選択された状態の表示画面を示す図である。項目「設定」が選択されると、項目「設定」の下層メニューが、表示画面の下部に表示される。項目「設定」の下層メニューは、「１．音」、「２．表示」、「３．一般設定」および「４．ネットワークサービス」を含む。設定の下層メニューのうち、選択されている項目は、所定の枠で囲まれ、他の項目と区別して表示される。これによって、どの項目が選択されているのかを利用者は容易に認識することができる。制御部９は、第１メニューの各項目の下層メニューに含まれる各項目は、表示部３の表示画面の上下方向に順番に並んで表示させる。
【００６４】
表示画面の下部の領域には、メニューキー２３の機能を表す情報が表示される。メニューキー２３は、メニューを表示させるだけでなく、その他項目を決定する決定キーとしても機能する。すなわち、制御部９は、メニューを表示部３に表示させたときには、メニューキー２３を、カーソルによって選択された項目を決定するための決定キーとして機能させる。つまり表示部３にメニューが表示され、項目が選択された状態で、メニューキー２３が操作されると、項目に対応する所定の処理を実行させる指示が制御部９に与えられる。
【００６５】
項目「ライブラリ」の下層メニューに含まれる所定の項目を実行するために、十字キー２４のうち右キー４３を操作して、カーソルを項目「設定」から項目「ライブラリ」に移動させる。
【００６６】
図３（３）は、第１メニューのうち項目「ライブラリ」が選択された状態の表示画面を示す図である。項目「ライブラリ」が選択されると、項目「ライブラリ」の下層メニューが、表示画面の下部に表示される。項目「ライブラリ」の下層メニューは、「１．ピクチャ」、「２．ムービー」、「３．メロディ」および「４．プリント指定（Digital Print Order Format：略称ＤＰＯＦ）」を含む。
【００６７】
制御部９は、項目「ライブラリ」が選択されると、この項目「ライブラリ」下層メニューのうち、一番上に表示される項目「ピクチャ」にカーソルを合わせて表示させる。下キー４２を操作すると、下層メニューにおいてカーソルを下方に移動させることができ、項目「ピクチャ」に隣接して下方に表示される項目「ムービー」が選択される。
【００６８】
図３（４）は、第１メニューのうち項目「ライブラリ」が選択され、さらに下層メニューのうち項目「ムービー」が選択された状態の表示画面を示す図である。
【００６９】
ここで下キー４２をさらに操作して、カーソルをさらに下方に移動させ、項目「ムービー」に隣接して下方に表示される項目「メロディ」を選択する。
【００７０】
図３（５）は、第１メニューのうち項目「ライブラリ」が選択され、さらに下層メニューのうち項目「メロディ」が選択された状態の表示画面を示す図である。
【００７１】
ここで項目「メロディ」を選択して実行する、すなわちメニューキー２３を操作して、実行の指示を与えると、制御部９は、この項目に対応する処理を実行する。ここでは、項目「メロディ」には、さらに下層のメニューが含まれるので、項目「メロディ」に対応する下層メニューを、表示部３に表示させる。
【００７２】
図３（６）は、項目「メロディ」を実行したときに、表示部３に表示されるメニューを示す図である。
【００７３】
このように、メニューキー２３と、十字キー２４とを用いて、階層化されたメニューのうち、所定の項目を選択して、実行することによって、所定の項目に対応する処理を制御部９が実行することができる。ここでは、表示画面に図３（６）に示すメニューを表示させるためには、メニューキー２３および十字キー２４を用いて、少なくとも５回、操作キーを操作する必要があることがわかる。
【００７４】
本実施の形態の電子装置１では、前述した図３に示すように、メニューを順番に表示部３に表示させて、階層化されたメニューを辿って、所定の項目を実行させるだけではなく、所定の項目を直接実行させることができる。以下に、所定の項目を直接実行させる処理について説明する。
【００７５】
図４は、所定の項目を実行させるための制御部９の動作処理を示すフローチャートである。電源を投入すると、ステップｓ０からステップｓ１に移り処理を開始する。ステップｓ１では、制御部９は、キー入力部２から与えられる指令信号に基づいて、キー入力が開始されたか否かを判断する。ステップｓ１において、制御部９が、キー入力部２によるキー入力が開始されたと判断すると、ステップｓ２に移り、キー入力部２によるキー入力が開始されていないと判断すると、ステップｓ１を繰り返す。
【００７６】
次にステップｓ２では、制御部９が、キー入力部２からの与えられる指令信号に対応する情報、すなわち操作キーの種類に関する情報を読取り、ステップｓ３に移る。
【００７７】
ステップｓ３では、制御部９は、指令信号に対応する操作キーの種類が数字キーであるのか否かを判断する。ステップｓ３において、制御部が、操作キーの種類が数字キーであると判断すると、ステップｓ４に移る。
【００７８】
ステップｓ４では、制御部９は、数字キーに対応する所定の文字情報、つまり数字情報を、第１メモリ６に記憶させ、かつ表示用メモリ８に前記数字情報を記憶させるとともに、表示ドライバ部１０に制御信号を与えて、表示部３に、数字情報を表示させる。これによって、利用者は、入力した数字情報がどの数字であるのかを認識することができる。ステップｓ４が終了すると、ステップｓ３に移る。ステップｓ４では、制御部９は、２つ以上の数字情報を第１メモリ６に記憶する場合には、後から与えられる数字情報の数字は、先に与えられる数字情報の数字の末尾に追加して記憶させる。つまり、数字情報として数字「３」の次に数字「２」が与えられると、記憶部には数字「３２」として数字情報が記憶され、表示部３には、数字「３２」が表示される。
【００７９】
ステップｓ３において、制御部９が、指令信号に対応する操作キーの種類が数字キーではないと判断すると、ステップｓ５に移る。ステップｓ５では、制御部９は、操作キーの種類は、機能キーであるのか否かを判断する。ステップｓ５において、制御部９が、操作キーの種類が機能キーであると判断すると、ステップｓ６に移る。
【００８０】
ステップｓ６では、制御部９は、第２メモリ７を検索して、入力された番号と、機能キーの種類との組合せに対応する項目に関する対応情報、すなわち表１に示すテーブルに基づいて、実行する処理、言い換えると実行する機能を検索して、ステップｓ７に移る。
【００８１】
表１は、所定の文字情報と所定の指令情報との組合せと、この組合に対応する項目に対応する対応情報を示すテーブルである。所定の文字情報と所定の指令情報との組合せは、言い換えれば数字情報を入力する数字キー３１と、所定の指令情報を入力する機能キー３２との組合せである。
【００８２】
【表１】
2005316774.tif 000003
【００８３】
表１に示すように、項目「ピクチャ」には、数字情報「１」を入力するための数字キー３１とカメラキー２５との組合せが対応するように、項目「ピクチャ」に対応する処理、すなわち実行内容の識別情報（ＩＤ）と、文字情報「１」およびカメラキー２５による指令情報とが第２メモリ７に記憶される。同様に項目「ムービー」には、数字情報「２」を入力するための数字キーとカメラキー２５との組合せが対応するように、項目「メール作成」には、数字情報「１」を入力するための数字キー３１とメールキー２７との組合せが対応するように、項目「メール」には、数字情報「２」を入力するための数字キー３１とメールキー２７との組合せが対応するように、各項目に対応する処理（実行内容）のＩＤと、指令情報とが第２メモリ７に記憶される。また表１には示していないが、項目「メロディ」には、数字情報「３」を入力するための数字キー３１とカメラキー２５との組合せが対応するように、項目「プリント指定」には、数字情報「４」を入力するための数字キー３１とカメラキー２５との組合せが対応するように、各項目に対応する処理（実行内容）のＩＤと、指令情報とが第２メモリ７に記憶される。項目に対応する処理のＩＤは、制御プログラムのうちの所定のプログラムのＩＤである。
【００８４】
ステップｓ７では、制御部９は、第２メモリ７に記憶されるテーブルに基づいて、第１メモリ６に記憶されている数字情報と、ステップｓ２で読取った情報に基づいて、これら数字情報と機能キーの種類との組合せに対応する項目が登録されているか否かを判断する。ステップｓ７において、制御部９が、第１メモリ６に記憶されている数字情報と、機能キーとの組合せに対応する項目が登録されていると判断すると、ステップｓ８に移る。
【００８５】
ステップｓ８では、制御部９は、ステップｓ６で検索された機能、すなわち第２メモリ７に記憶されるテーブルに基づいて、第１メモリ６に記憶されている数字情報と、機能キーとの組合せに対応する項目の実行を指示し、この項目に関連する処理を実行して、ステップｓ９に移る。
【００８６】
ステップｓ９では、制御部９は、第１メモリ６を制御して、第１メモリ６に記憶されている数字情報を消去して、ステップｓ１０に移り、処理を終了する。
【００８７】
前述したステップｓ５において、制御部９が、操作キーの種類が機能キーではないと判断すると、ステップｓ１１に移る。ステップｓ１１では、その他の処理を実行して、ステップｓ１０に移る。その他の処理とは、たとえば電話発信するための処理、入力した番号情報を消去するための処理などを含む。
【００８８】
前述したステップｓ７において、制御部９が、第１メモリ６に記憶されている数字情報と、機能キーとの組合せに対応する項目が登録されていないと判断すると、ステップｓ１２に移る。
【００８９】
ステップｓ１２では、制御部９は、表示用メモリ８、表示ドライバ部１０を制御して、表示部３に、入力された番号情報および機能キーの組合せに対応する項目が登録されていないことを示すエラー情報を表示させて、ステップｓ２に移る。
【００９０】
電子装置１は、以上のような処理を行うことによって、前述した項目「ピクチャ」の実行を、以下のような簡単な操作で、行うことができる。
【００９１】
図５は、電子装置１において、所定の項目に対応する処理を実行させるときの操作を説明するための図である。
【００９２】
図５（１）は、待受け状態を示す図である。待受け状態において、キー入力部２の数字キー３１を操作して、数字情報「３」を入力する。制御部９は、数字情報が入力されると、前述のフローチャートに示すステップｓ４で、表示部３に入力された数字情報を表示させる。
【００９３】
図５（２）は、数字情報「３」を入力したときの、表示部３の表示画面を示す図である。
【００９４】
次に、機能キー３２のうち、カメラキー２５を操作すると、第２メモリ７に記憶されるテーブルに基づいて、ステップｓ８において、制御部９は、項目「メロディ」に対応する処理を実行する。これによって、表示部３には、図５（３）に示すような、項目「メロディ」の下層メニューが表示される。
【００９５】
図５（３）は、項目「メロディ」の下層メニューを示す図であり、前述した図３（６）の表示画面と同じ画面である。
【００９６】
以上のように、階層化されたメニューを表示部３に表示させてメニューキーおよび十字キーを用いて、メニューを辿らなくても、直接所定の項目に対応する処理を実行させることができる。
表２に、所定の項目に対応する処理を実行させるための操作方法を示す。
【００９７】
【表２】
2005316774.tif 000004
【００９８】
表２において、数字は数字キー３１、カメラはカメラキー２５、Ｆはメニューキー２３、方向は十字キー２４の上下左右に対応する操作キーを表す。十字キー２４の各上キー４１、下キー４２、右キー４３および左キー４４を、それぞれ方向キーと記載する場合がある。たとえば、項目「ムービー」に対応する処理を実行させるときに、メニューキー２３および方向キーを用いる場合には、利用者はメニューキー（Ｆ）、右キー（右）、下キー（下）、およびメニューキー（Ｆ）の順番で操作キーを操作する必要がある。一方、項目「ムービー」に対応する処理を実行させるときに、数字キー３１と機能キー３２とを用いる場合には、利用者は数字情報「２」を入力するための数字キー３１、およびカメラキー２５の順番で操作キーを操作すればよい。
【００９９】
同じく項目「メロディ」に対応する処理を実行させるときには、メニューキー２３および方向キーを用いる場合には、利用者は、メニューキー（Ｆ）、右キー（右）、下キー（下）、下キー（下）およびメニューキー（Ｆ）の順番で操作キーを操作し、数字キー３１と機能キー３２とを用いる場合には、利用者は、数字情報「３」を入力するための数字キー３１、およびカメラキー２５の順番で操作キーを操作すればよい。項目「プリント指定」については、他の項目に対応する処理を実行させる場合と操作が同様であるので説明を省略する。
【０１００】
表３は、所定の項目に対応する処理を実行させるために必要な操作回数を示す。操作回数は、操作キーを操作する回数であって、ここでは操作キーを押下する回数である。
【０１０１】
【表３】
2005316774.tif 000005
【０１０２】
たとえば項目「ムービー」に対応する処理を実行させる場合、メニューキー２３と方向キーとを用いて、メニューを辿る場合には、操作回数が４回となるが、数字キー３１と機能キー３２を用いる場合、操作回数は２回ですむ。項目「メロディ」および項目「プリント指定」に対応する処理を実行させる場合についても、同様に、数字キー３１と機能キー３２とを用いる方が、操作回数が少なくてすむ。メニューの階層数が多くなればなるほど、またメニューに含まれる項目が多くなればなるほど、メニューキー２３および方向キーを用いて所定の項目を実行させる場合に、操作回数が多くなってしまうが、数字キー３１および機能キー３２の組合せによって、所定の項目を実行させる場合、操作回数が多くなってしまうことが防止され、制御部９に、所定の項目に対応する処理を実行させるための操作が容易となる。
【０１０３】
数字キー３１と機能キー３２とを操作して、所定の項目に対応する処理を制御部９に実行させる場合、機能キー３２が予め定める時間以上、押下されることによって、はじめて制御部９が所定の項目に対応する処理を実行する構成としてもよい。以後、操作キーを予め定める時間以上押下することを長押しと記載する。予め定める時間は、たとえば２秒以上に選ばれる。この場合、制御部９は、キー入力部２からの指令信号に基づいて、機能キー３２が押下された時間を検出する。制御部９が機能キー３２が押下された時間を検出するステップは、たとえば図４のフローチャートにおいて、ステップｓ５とステップｓ６の間に設ければよい。数字キー３１を操作した後に、機能キー３２を長押しすることによって、所定の項目に対応する処理を実行させることができ、利用者が誤って機能キー３２を押下してしまう誤操作によって、所定の項目に対応する処理が実行されてしまうことが防止される。前述した予め定める時間を短くすることによって、機能キー３２を用いて所定の指令情報を入力するときの、応答性を向上させることができる。機能キー３２が予め定める時間押下されたか否かは、制御部９が計時部１９から与えられる時刻情報に基づいて、判断する。
【０１０４】
本発明の他の実施の形態では、前述した構成に加えて、所定の文字情報および所定の指令情報の組合せに対応する所定の項目を設定することができる対応設定手段を含む構成としてもよい。対応設定手段は、少なくとも制御部９、キー入力部２、プログラム用メモリ５および第２メモリ７を含む。本実施の形態において、キー入力部２は、前述したキー入力部２の各操作キーに加えて、登録キーおよび確認キーを含む。利用者は、登録キーおよび確認キーを操作することによって、制御部９に所定の指令信号を与えることができる。
【０１０５】
図６は、所定の文字情報および指令情報の組合せに対応する、所定の項目の設定方法を説明する図である。ここでは、項目「ライブラリ」の下層メニューに含まれる項目「メロディ」に対応する、所定の文字情報および所定の指令情報との組合せを設定する場合について述べる。以後所定の項目と、所定の文字情報および所定の指令情報との組合せを設定することを、ショートカット登録と記載する場合がある。
【０１０６】
図６（１）は、項目「ライブラリ」の下層メニューを表示部３に表示させて示す図である。まず前述した図３に示すように、メニューキー２３および十字キー２４を操作して、表示画面に表示される階層化されたメニューを順番に辿って、図６（１）のように、項目「ライブラリ」の下層メニューを表示部３に表示させる。
【０１０７】
図６（２）は、項目「ライブラリ」の下層メニューのうち、項目「３．メロディ」を選択して示す図である。次に十字キー２４によって、カーソルを移動させ、ここでは制御部９は、項目「ライブラリ」の下層メニューに含まれる各項目「１：ピクチャ」、「２：ムービー」、「３：メロディ」、および「４：プリント指定」を、上下方向にこの順番に並べて表示部３に表示させる。十字キー２４のうち、上キー４１および下キー４２を操作することによって、表示部３に表示されるカーソルを移動させて、項目「ライブラリ」の下層メニューに含まれる項目「メロディ」にカーソルを合わせるとこによって、この項目「メロディ」が選択される。選択された項目は、前述したように、表示部３に表示される項目が枠で囲まれる。
【０１０８】
次に、項目「メロディ」が選択された状態で、「登録」キーを操作する、具体的には押下すると、制御部９は、表示部３にショートカット登録画面を表示させる。
【０１０９】
図６（３）〜（６）は、ショートカット登録画面を示す図である。前記ショートカット登録画面には、図６（３）に示すように、登録される項目と、数字情報の入力を促す情報とが表示される。ここでは登録される項目として、項目「メロディ」が表示される。
【０１１０】
ここで、数字キー３１によって、利用者が所望の数字情報である番号情報を入力すると、図６（４）に示すように、ショートカット登録画面には、登録される項目と、入力した番号、ここでは数字「１２３」とが表示される。
【０１１１】
ここで、決定キーを操作する、具体的にはメニューキー２３を押下すると、図６（５）に示すように、ショートカット登録画面には、登録される項目と、入力した番号と、機能キー３２の選択を促す文字とが、表示される。
【０１１２】
次に、機能キー３２のうち、利用者が所望の機能キー３２を操作する、ここではたとえばカメラキー２５を長押しすると、項目、番号および機能キーの組合せが決定され、図６（６）に示すように、ショートカット登録画面には、項目、番号および機能キーの組合せが表示され、登録したこと示す文字が表示される。ここで確認キーが押下されると、制御部９は、図６（７）に示すように表示部３に待受け画面を表示させる。
【０１１３】
制御部９は、前述した項目、番号および機能キーの組合せを、前述したように第２メモリ７に記憶させて、対応情報として保存する。このように、所定の文字情報と所定の指令情報との組合せ、すなわち数字と機能キーとの組合せに対応して、項目を登録することができるので、利用者が覚えやすい番号と、機能キーとの組合せに対応させて、所定の項目を実行することができるので、利便性をより向上させることができる。
【０１１４】
このように本実施の形態の電子装置では、前述したように所定の項目に対応する番号を任意に設定することができる。その活用として、文字入力時のキー操作から連想できる番号を割り当てる。たとえば電話装置の数字キー３１は、日本語を入力するためのキーとしても使われる。たとえば「留守」と入力したい場合は、数字「９」「３」と入力して方向キーで漢字に変換させることができる。ここから、数字「９」「３」＝留守番電話関係の機能であるということを連想することができる。表４のように番号と機能キー３２と、所定の項目に対応する処理とを対応付けすることによって、所定の項目の処理を実行させるための操作を、利用者により覚えやすくさせることができる。表４は、操作キーを操作する順番と、この操作の順番によって実行される処理の例を示す。
【０１１５】
【表４】
2005316774.tif 000006
【０１１６】
前述した電子装置１では、項目「ライブラリ」および項目「ブックマーク」などを実行すると、これらの項目に対応して第２メモリ７に登録している内容を、制御部９が表示部３に一覧表示させる。具体的には、項目「ライブラリ」の下層メニューである項目「ピクチャ」を選択して、実行すると、制御部９は、第２メモリ７に記憶される静止画像の一覧を表示部３に表示させる。また項目「ブックマーク」を選択して実行すると、制御部９は、第２メモリ７に記憶されるアドレス情報の一覧を表示部３に表示させる。
【０１１７】
電子装置１では、第２メモリ７に、前述した階層化されたメニューの項目に関連づけされて、所定の通信先情報が記憶される。所定の通信先情報は、たとえばインターネット上のアドレス情報であるＵＲＬ（Uniform Resource Locator）を含む。このような、インターネット上のアドレス情報に関連づけされた項目を、前述したように所定の文字情報および所定の指令情報の組合せに関連して、第２メモリ７に登録しておくことによって、制御部９は、前記アドレス情報に関連付けされた項目を実行するときに、通信制御部１５を制御して、前記アドレス情報に対応する通信先と通信させる。
【０１１８】
したがって、所定の通信先と通信するときに、メニューを辿って通信先を選ぶ必要がなく、通信先のＵＲＬなどの通信先情報を予め登録しておくことによって、数字キー３１と機能キー３２とを組み合わせて操作するだけで、所定の通信先と通信することができる。
【０１１９】
前述した各実施の形態の電子装置では、前記第２メモリ７に記憶される所定の情報をシークレットデータとして登録することができる。第２メモリ７に記憶される所定の情報は、たとえば静止画像情報、動画像情報、インターネット上のアドレス情報などを含む。シークレットデータの登録は、キー入力部２による入力操作によって行なわれ、制御部９は、キー入力部２からの指令信号に基づいて、所定の情報をシークレットデータとして第２メモリ７に記憶させる。第２メモリ７に記憶される所定の情報には、この所定の情報をシークレットデータとするのか否かを表すシークレット設定情報が付与されている。
【０１２０】
前述したメニューには、電子装置をシークレットモードで動作させるための項目が含まれる。本実施の形態においてシークレットモードは、第１動作モードであり、シークレットモード以外の動作モード、すなわちシークレットモードを解除したときの動作モード、第２動作モードである。シークレットモードで動作させるための項目を選択して実行すると、制御部９は、シークレットモードに対応する処理を実行して、装置の各部を制御する。具体的には電子装置１では、シークレットモードで動作させなければ、すなわち第２動作モードでは、表示手段を制御して、シークレットデータとして登録される所定の情報を、表示部３に表示させないようにすることができる。シークレットモードが設定されると、シークレットモードが設定されていることを表すモード設定情報が、たとえば第２メモリ７に記憶され、制御部９はこの第２メモリ７にモード設定情報が記憶されているのか否かを判断して、動作モードを決定して、装置の各部を制御する。
【０１２１】
シークレットデータとして登録されている所定の情報を表示部３に表示させる場合、１つの方法として、電子装置１を第１動作モードであるシークレットモードに設定することが挙げられる。電子装置１を、シークレットモードで動作させるためには、利用者は、階層型のメニューを辿って、シークレットモードで動作させるための項目を表示部３に表示させて、この項目を選択して実行させて、かつキー入力部２を操作して、所定の暗証番号情報を入力する。所定の暗証番号情報は、第２メモリ７に予め記憶されており、制御部９は、キー入力部２によって入力される番号情報と、第２メモリ７に記憶される暗証番号情報とを比較して、一致すると判断したときに、装置の各部をシークレットモードで動作させる。動作モード設定手段は、キー入力部２、プログラム用メモリ５、制御部９、第２メモリ７を含む。動作モード設定手段によってシークレットモードが設定されると、制御部９は、第２メモリ９に記憶されているシークレットデータとして登録されている所定の情報を表示部３に表示させることができる。また第２メモリ７に記憶される情報のうち、所定の情報をシークレットデータとして設定すれば、そのデータは電子装置１をシークレットモードに設定しない限り、表示部３に表示されるデータの一覧に表示されないように、制御部９は、表示部３を制御する。
【０１２２】
電子装置１では、第２メモリ７に、予め定める所定の文字情報と所定の指令情報との組合せに対応して、シークレットデータとして登録される所定の情報が記憶されている。動作モード設定手段によって、前述した第２動作モードが設定され、第２動作モードで制御部９が、表示手段を制御しているときに、キー入力部２の数字キー群２２および機能キー群２１によって、所定の情報に対応する予め定める所定の文字情報と所定の指令情報とが、この順番で入力された場合、制御部９は、予め定める所定の文字情報と所定の指令情報に対応する前記所定の情報を表示させるように表示手段を制御する。制御部９は、設定された動作モードに基づいて、表示手段、すなわち表示部３、表示用メモリ８および表示ドライバ部１０を制御する。所定の文字情報は、たとえば複数桁の番号情報である。
【０１２３】
キー入力部２によって、所定の文字情報と所定の指令情報とが入力されると、動作モード設定手段によって第２動作モードが設定されている場合であっても、制御部９は、前記所定の文字情報と所定の指令情報との組合せに対応するシークレットデータとして登録されている所定の情報を、表示部３に表示させることができる。このように所定の文字情報と所定の指令情報とを入力するだけで、制御部９にシークレットデータとして登録されている前記所定の情報を表示させるように表示手段を制御させることができるので、所定の情報を表示部９によって表示させるときに、キー入力部２を操作することによって階層型のメニューを辿って、動作モードの設定を変更する必要がなく、シークレットデータを利用することができる。
【０１２４】
動作モードを切換えて所定の情報を表示部３に表示させる場合には、所定の情報を表示させるためにシークレットモードを設定する必要があるため、シークレットモードを解除して、再び第２動作モードに設定することを忘れてしまうおそれがあるが、本発明では第２動作モードが設定されたままであっても、制御部９は所定の情報を表示部３に表示させることができるので、所定の文字情報と所定の指令情報とを入力することによって、所定の情報を表示部３に表示させたとしても、この所定の情報の表示部３への表示を禁止するために再び第２動作モードに設定し忘れるおそれがない。シークレットモードの解除を忘れると、シークレットデータを他人に見られてしまうおそれがあるが、前述の構成とすることによって、シークレットモードを解除する、すなわち第１動作モードから第２動作モードに動作モードを、変更し忘れるといった心配がない。
【０１２５】
またキー入力部２を用いて、シークレットモードに設定する場合、表示部３にメニューを表示させて、所定の暗証番号情報を入力することによって動作モードの設定を変更するときに暗証番号情報を入力する必要があり、シークレットモードと設定するための秘匿性が確保されている。所定の文字情報と所定の番号情報を入力することによって、シークレットデータとして登録されている所定のデータを表示させる場合であっても、前記所定の文字情報として、たとえば前記暗証番号情報と同じ桁数の数値を入力する必要がある構成とすることによって、動作モードを変更する操作と比較して、秘匿性は低下しない。
【０１２６】
以上のように電子装置では、キー入力部２によって所定の文字情報および所定の指令情報を入力するだけで、動作モードをシークレットモードにしなくても、シークレットデータとして登録されている所定の情報の利用が可能、すなわちシークレットデータを表示部３に表示させることができる。したがってシークレットデータを表示部３に表示させるときに、電子装置１の動作モードを変更する操作が不要となるのでシークレットデータとして登録される所定の情報を表示部３に表示させるための操作が容易となる。また電子装置１では、動作モードを変更せずに、所定の情報を表示部３に表示させることができるので、シークレットデータとして登録されている所定の情報を表示部３に表示させるために、キー入力部２を操作して動作モードを変更する必要がないので、シークレットモードを解除し忘れる危険性をなくすことができる。
【０１２７】
本実施の形態の電子装置１では、所定の指令情報を入力する前に、所定の文字情報を入力するので、所定の文字情報に含まれる文字数が限定されることがない。これによって所定の文字情報を様々な項目に対応させることができ、多機能化される電子装置において、所定の文字情報および所定の指令情報の組に、様々な処理を対応させることができる。
【０１２８】
本実施の形態では、電子装置１を、携帯型電話装置に適用して説明したが、本発明の実施の他の形態において、電子装置１は、たとえばＰＤＡ（Personal Digital Assistant）などの携帯型の情報端末装置、およびノート型を含むパーソナルコンピュータに適用されてもよい。このような装置および機器に適用しても、同様な効果を達成することができる。
【０１２９】
本発明の電子装置１は、携帯型の電話装置などの、携帯型電子装置として特に好適に実施することができる。このような携帯型の電子装置では、装置を小形に形成する必要があるため、キー入力部に含まれる操作キーの数が、他の機器よりも少なく構成される場合が多い。このような装置において多機能化を実現するためには、表示部に階層化されたメニューを表示させて、メニューの項目を選択して実行することによって、所定の項目に対応する処理を実行させるが、メニューを辿って所定の項目に対応する処理は、操作が煩わしくなってしまう。本発明によれば、メニューを辿って項目を選択する必要がなく、数字キーと、機能キーとを操作するだけで、所定の項目に対応する処理を実行させることができるので、特に小形の電子装置において、好適に用いられる。
【図面の簡単な説明】
【０１３０】
【図１】本発明の実施の一形態の電子装置１の構成を示すブロック図である。
【図２】電子装置の外観を示す正面図である。
【図３】階層型のメニューを辿って所定のメニューに含まれる所定の項目に対応する処理を実行させるときの操作を説明する図である。
【図４】所定の項目を実行させるための制御部９の動作処理を示すフローチャートである。
【図５】電子装置１において、所定の項目に対応する処理を実行させるときの操作を説明するための図である。
【図６】所定の文字情報および指令情報の組合せに対応する、所定の項目の設定方法を説明する図である。
【符号の説明】
【０１３１】
１  電子装置
２  キー入力部
３  表示部
５  プログラム用メモリ
６  第１メモリ
７  第２メモリ
９  制御部
３１  数字キー
３２  機能キー
【図１】
2005316774.tif 000007
【図２】
2005316774.tif 000008
【図３】
2005316774.tif 000009
【図４】
2005316774.tif 000010
【図５】
2005316774.tif 000011
【図６】
2005316774.tif 000012